(57)【要約】  本発明は、広範な直径を有する流体ダクトに使用するのに適したハッチカバーを提供し、ハッチカバーは、弾力材の平板から形成されており、一般に細長い形状である。平板を形成している弾力材は、カバーが定位置に配置されておりかつ内面に当接して保持されて、ダクト壁を介して開口部を覆っている場合、流体ダクトの内面の湾曲に適合することができる十分な弾性を有する。可撓性ガスケット材料が、弾性平板の外部主面の少なくとも外周縁部全体に固定されている。弾性平板は、締め付けられるとダクトの外面を圧迫するように、弾性平板の外面に取り付けられている複数の締付け機構によりダクトに固定される。
2012510038.tif 000002
【特許請求の範囲】
【請求項１】
広範な直径を有する流体ダクトに使用するのに適したハッチカバーであって、前記ハッチカバーは、外部主面と内部主面と細長い形状とを有する弾性平板を含み、前記弾性平板は、前記カバーが内面に当接して保持されておりかつ前記ダクトの前記内面を介して開口部を覆っている場合、流体ダクトの前記内面のいかなる湾曲にも適合することができる十分な弾性を有する弾性材料で形成されており、可撓性ガスケット材料が、前記弾性平板の前記外部主面の少なくとも外周縁部全体に固定されており、複数の締付け機構が、前記ダクトの外面を保持するために、前記弾性平板の前記外部主面に固定されており、締め付けられると、前記ガスケット材料と前記内面との間に相対的流体密封止を形成するために、前記ハッチカバーは前記ダクトの前記内面と前記ガスケット材料とを圧迫し、前記弾性平板は、前記ダクトの前記内面の湾曲に適合するのに十分な可撓性および弾性を有する、ハッチカバー。
【請求項２】
請求項１に記載のハッチカバーにおいて、
前記弾性平板の前記外部主面に固定された取っ手をさらに含む、ハッチカバー。
【請求項３】
請求項２に記載のハッチカバーにおいて、
前記ガスケット材料は、前記弾性平板の前記外部主面全体に固定されて前記外部主面全体を覆っており、前記締付け機構および前記取っ手は、前記ガスケット材料を介して前記平板に固定された、ハッチカバー。
【請求項４】
請求項１に記載のハッチカバーにおいて、
前記細長い平板は略卵形形状を有し、前記卵形ハッチカバー平板の主軸および短軸に沿って配置された４つの締付け機構がある、ハッチカバー。
【請求項５】
請求項１に記載のハッチカバーにおいて、
前記弾性平板は、高炭素鋼で形成されており、前記ガスケット材料は独立気泡ネオプレン発泡体である、ハッチカバー。
【発明の詳細な説明】
【技術分野】
【０００１】
[0001]本願は、平坦な側面を有する（例えば、略四辺形の横断面を有する）ダクト、および曲面を有するダクトすなわち円形横断面もしくは卵形横断面または平坦な側面と湾曲した側面との組合せを有するダクトを含む空気ダクトあるいは他の流体導管のための新規の改良型ハッチカバーに関する。
【発明の概要】
【課題を解決するための手段】
【０００２】
[0002]本改良型ハッチカバーは、単一カバーが、比較的広範な横断面直径を有するダクト、特に湾曲したダクトに使用されることを可能にする。ハッチカバーは、ばね鋼またはポリプロピレンなどのいくらかの弾性を有する材料で形成されている薄板または平板を含み、薄板または平板の外面の外周縁部を少なくとも取り巻いて延在している比較的柔軟なガスケット材料が、カバーの外部主面に接着されており、複数の保持装置が、薄板または平板の外面に固定されており、かつダクト壁を介して開口部の全外周の周囲で弾性薄板および柔軟なガスケット材料をダクト壁の内面に押し付けることにより、ハッチカバーをダクト開口部の外周縁部に封止固定するように配置されている。取っ手が保持装置の中間の外面に固定されており、ダクト壁を介して開口部に扉を閉めている間は扉を支持し、またはハッチを開いている場合は開口部から扉を除去することが好ましい。
【０００３】
[0003]保持装置はそれぞれ、一端で弾性薄板に弾性的に固定されておりかつ薄板または平板の外周縁部に隣接する外面を圧迫する位置と薄板の縁部から離れて保持されている位置との間で可動のばね荷重保持指状部（ｓｐｒｉｎｇ−ｌｏａｄｅｄ  ｇｒｉｐｐｉｎｇ  ｆｉｎｇｅｒ）などの締付け機構を含む。その結果、ハッチカバーが定位置にありダクト開口部を閉鎖している場合、ダクトの外面を圧迫し、延いては、弾性薄板を曲げてダクト壁のいかなる屈曲にも適合させることにより、ハッチカバーの実質的に外縁部全体にダクトの内面を押し付けるように作用するように、保持指状部が配置され得る。保持指状部は、弾性薄板に回転可能に可動式に取り付けられていることが好ましい。平板の外周を巡って等間隔で離間されたそのような保持装置が、少なくとも３つ、最も好ましくは４つあることが好ましく、平板が円形または卵形である場合、係止装置は、主軸および短軸に沿って配置されている。
【０００４】
[0004]例えば保持指状部がダクト開口部の縁部で外部ダクト壁を圧迫している場合、弾性薄板が空気ダクトの屈曲に適合し、ハッチカバーの外面とダクトの内面との間の柔軟なガスケット材料を圧縮するように、弾性薄板または弾性平板は十分に弾性である。このことにより、広範なダクト直径および様々な開口部寸法に単一寸法のハッチカバーを使用することが可能になる。ハッチカバーを形成している弾性鋼鉄平板の平面寸法は、全ての開口部を収容するために変化しなければならないが、ハッチカバーは開口部寸法のあらゆる変化に合致する必要はないことを理解されたい。例えば、アームホール寸法の開口部が、非常に大きなダクトのためのマンホールハッチカバーとは異なるハッチカバーを必要とする。扉と空気ダクトの内面との間の接触領域に沿って封止材ガスケットの機能を果たす柔軟な薄板層は、例えば、ネオプレンガスケット材料などの弾性独立気泡発泡体または弾性ゴムパッドとすることができる。パッドは、弾性薄板の表面の小部分のみを覆って固定され得る。すなわち、その結果、パッドは、ハッチカバーの外周を完全に取り巻いて延在しているか、または表面全体を覆うことができる。柔軟な材料は、ダクト壁の表面のいかなる凸凹にもより密接に適合して、ダクト壁との接点を封止するのに使用される。
【０００５】
[0005]いずれの場合も、接近開口部の周囲に空気ダクトの内面との実質的気密封止を形成することを目的としている。大半の空気ダクトに見られる継ぎ目の性質のせいで、そのような空気ダクトにおいて維持される低い圧力損失の理由で、任意の圧力損失を防止するその能力に関する気密封止の程度は比較的低いことを理解されたい。しかし、本発明のハッチカバーの利点は、実現される封止が、一般に、ほとんどの居住構造物の暖房、換気および空調に通常使用されるものとは違って、通常の圧力差より大きく保つことを目的とする空気ダクトに有用であるために十分に質が高いことである。
【図面の簡単な説明】
【０００６】
【図１】[0006]本発明のハッチカバーの上面平面図である。
【図２】[0007]図１の線Ａ−Ａに沿った本発明のハッチカバーの切取り部分側面図である。
【図３】[0008]図１の線Ｂ−Ｂに沿った本発明のハッチカバーの切取り部分側面図である。
【発明を実施するための形態】
【０００７】
[0009]ここで、図１乃至図３に示されている図面を参照すると、ハッチカバーは、図１に符号１０で全体的に示されている。本好適な実施形態では、ハッチカバーは、卵形ばね鋼（または硬化炭素鋼）薄板１４を含み、その外面全体は、ガスケット薄板１２、本例では独立気泡ネオプレンガスケット材料により覆われている。４つのスナップ留め具締付け機構１５、１６が、鋲２７によりばね鋼薄板１４に固定されており、その鋲は、ハッチカバー１０の外周縁部に隣接する４つの正反対の位置で、ガスケット薄板と支持平板１４とを貫通して延出している。締付け機構１５、１６はそれぞれ、クリップ平板１７により定位置に保持されている弾性保持指状部１８を含み、そのクリップ平板は、例えば鋲２７により、ハッチカバー１０に固定されている。締付け機構１６の対は、卵形ハッチカバー１０の短径すなわち小径の両端部に隣接して固定されており、締付け機構１５は、卵形ハッチカバー１０の長径すなわち大径の両端部に隣接して固定されている。クリップ平板１７はそれぞれ、鋲２７により支持平板に直接固定されている中心指状部１８と両外側フォーク部２２との３つの部分に部分的に分割されている。保持指状部１８は、閉状態では、扉ガスケット１２をダクト壁の内面に押し付けるように、ダクト壁の外面を圧迫している。
【０００８】
[0010]取っ手２５が、ハッチカバー１０の外面に固定されて、カバー開閉時のカバーの容易な取扱いを可能にすることが好ましい。
【０００９】
[0011]閉状態では、図３に示されている通り、ハッチカバーが空気ダクトの内側に配置されている場合、ネオプレン薄板の外周がダクト壁の内面を圧迫するように、取っ手を引くことによりハッチカバーは空気ダクト壁の内面を圧迫し、相対的気密封止を形成する。締め具１５、１６の各々の保持指状部１８は、図３に示されている通り、空気ダクト壁の外面を押し下げ、ダクトの内面がハッチカバーの外面を圧迫するように、２つの部品すなわち空気ダクトの壁とハッチカバーとを共に押圧する。弾性ハッチカバーが曲げられてダクト壁の外形に合致した場合、例えば独立気泡発泡体ネオプレン薄板であってもよいガスケット材料１２は、ダクトの内面に対して封止を形成する。保持指状部１８を図２に示されている開状態まで起こすことにより、締付け効果が解除され、ハッチカバーを解放し、その除去を可能にしてハッチを開き、所望の任意の修理目的または保守目的のためにダクトの内部に接近することを可能にする。一般に、これら接近開口部は、作業者の腕または手で到達するためのものに過ぎない。しかし、ハッチカバーは、実際には、非常に大きな空気ダクトの十分に大きな接近開口部のためのマンホールカバーの機能を果たすために十分に大きくすることができる。
【００１０】
[0012]本システムはまた、例えば水または他の液体を流す管を含む他の流体配管手段に適用可能とすることができる。そのような場合には、ダクト内に高流量がある場合、しっかりした封止を維持するためにより多数の締め具が必要とされる可能性がある。
【００１１】
[0013]本発明の性質を変えずに使用され得る、具体的には弾性薄板もしくは弾性平板の使用に関する代替的実施形態が、ハッチカバーとダクト開口部縁部とを一緒に保持する圧下締め具であり、または２つの表面を締め付け、所望の封止を形成しかつハッチカバー平板を弾性屈曲させるのに十分な圧力を生じさせる他の既知の代替案もしくは開発される代替案である。
【００１２】
[0014]ハッチカバーを形成している平板の弾性性質は、高炭素綱またはステンレス鋼、または所望であればさらにプリプロピレン平板などのプラスチック材料すなわち合成高分子であってもよいいわゆるばね鋼を使用して実現され得る。実際には、例えば合板などの可撓性木片、または中密度繊維板もしくは高密度繊維板などのいわゆる「加工木材」もまた、この場合に有用であり得るが、その際、木材または繊維板の物理的特性は、長期間の使用に適さない。
【００１３】
[0015]これら扉の全体構造は、プラスチック加工分野および／または金属加工分野に公知の技術により安価に製造され得る。弾性平板は、本発明の態様を形成しない種々の既知の方法により形成され得る。
【００１４】
[0016]前述の別個のネオプレン薄板に加えて、表面ガスケット薄板を原位置に形成し、延いてはガスケット表面材料と弾性平板との間に適切な接着封止を形成するために、重合の前に封止材層が適用され得る。
【００１５】
[0017]本発明の好適な実施形態が記載されたが、具体的に言及されたものに加えて修正が施されることが可能であり、本発明の趣旨および添付の特許請求の範囲の範囲から逸脱することなく、他の実施形態が考案されてもよい。
【図１】
2012510038.tif 000003
【図２】
2012510038.tif 000004
【図３】
2012510038.tif 000005
【国際調査報告】
2012510038.tif 000006